(57)【要約】      （修正有）【課題】電線のガタつきを防止することで端子金具の摺動を防止して、端子金具間の接続信頼性を向上させることができるコネクタを提供する。【解決手段】複数の端子収容室を備えたコネクタハウジング２０と、電線Ｙが接続された雌型端子金具と、各端子収容室に挿入され電線Ｙと端子収容室との間をシールするシール部材と、コネクタハウジング２０からシール部材を抜け止めするシールリテーナとを備えたコネクタであって、シールリテーナには電線Ｙを固定する電線固定部が設けられている。【選択図】図３
2011175775.tif 000002
【特許請求の範囲】
【請求項１】
複数の端子収容室を備えたコネクタハウジングと、電線が接続され前記端子収容室にその後方から挿入して装着された端子金具と、前記各端子収容室の後端部に挿入され前記電線と前記端子収容室との間をシールする弾性材料製のシール部材と、前記コネクタハウジングに前記シール部材の後方に位置して装着され前記電線を貫通させる複数の電線挿通孔を有して前記各シール部材を抜け止めするシールリテーナとを備えるコネクタであって、
前記シールリテーナには前記電線挿通孔を貫通する前記電線をそのシールリテーナに固定する電線固定部が設けられていることを特徴とするコネクタ。
【請求項２】
前記電線固定部は、前記シールリテーナの前記電線挿通孔に連なり前記電線を受ける電線受け溝を有する電線受け部と、前記シールリテーナの前記電線挿通孔に連なり前記電線を押さえる電線押さえ溝を有する電線押さえ部とを前記シールリテーナに一体成型してなると共に、前記コネクタハウジングには前記電線の導出方向に延びる固定片が突設され、
電線受け部及び前記電線押さえ部は前記固定片に形成したボルト挿通孔を貫通する固定ボルトによって前記固定片に共締めされていることを特徴とする請求項１記載のコネクタ。
【請求項３】
前記電線受け部には金属製のナットが装着されると共に、前記電線押さえ部及び前記固定片には前記固定ボルトが挿通する金属製のカラーが装着されていることを特徴とする請求項２記載のコネクタ。
【請求項４】
前記電線固定部は、前記電線挿通孔の周縁から前記電線の導出方向に沿って延出して前記電線を締付可能な電線挿通筒と、この電線挿通筒を締め付ける締付部材とからなることを特徴とする請求項１記載のコネクタ。
【請求項５】
前記電線挿通筒の内周面部には、前記締付部材による締付時に前記電線の外周面に食い込む環状リブが突設されていることを特徴とする請求項４記載のコネクタ。
【請求項６】
前記シールリテーナは前記電線を挟み付ける受け部材と押さえ部材とからなる二分割型に構成され、前記電線挿通筒は前記受け部材及び前記押さえ部材にそれぞれ形成した半割り筒体を合体させて構成される請求項４又は請求項５記載のコネクタ。
【発明の詳細な説明】
【技術分野】
【０００１】
本発明は、シールリテーナを備えたコネクタに関する。
【背景技術】
【０００２】
従来、電線の末端に取り付けられるコネクタとしては、特許文献１に記載されたものが公知である。このコネクタはコネクタハウジングのキャビティ内に電線の先端に圧着した端子金具を後方から挿入して構成されている。そして、この端子金具はコネクタハウジングのキャビティ内において前方端面をハウジングの内部に設けられた前方止部によって前方向に抜け止めされ、端子金具に設けられた係合部を電線側ハウジングの内部に設けられた可撓性ランスによって係止されることで後方向に抜け止めされている。
【先行技術文献】
【特許文献】
【０００３】
【特許文献１】特開平１１−２１９７５８号公報
【発明の概要】
【発明が解決しようとする課題】
【０００４】
ところが、端子金具は別部品としてコネクタハウジングのキャビティ内に装着されるものであるから、キャビティの内壁との間にクリアランスが存在し、キャビティ内で僅かにガタつくことは避けられない。一方、例えば車両に搭載されているワイヤーハーネスにコネクタが使用されている場合、車両の走行に伴って電線やコネクタハウジングが振動する。その為、コネクタが相手方コネクタと嵌合した後においても、端子金具がキャビティ内において前後方向にガタつき、その結果、端子金具間の接続部分が摺動して磨耗を生じさせて端子金具間の接続信頼性が低下する可能性がある。
【０００５】
本発明は上記のような事情に基づいて完成されたものであって、電線のガタつきを防止することで端子金具の摺動を防止して、端子金具間の接続信頼性を向上させることができるコネクタを提供することを目的とする。
【課題を解決するための手段】
【０００６】
上記の目的を達成するための手段として本発明は、複数の端子収容室を備えたコネクタハウジングと、電線が接続され前記端子収容室にその後方から挿入して装着された端子金具と、前記各端子収容室の後端部に挿入され前記電線と前記端子収容室との間をシールする弾性材料製のシール部材と、前記コネクタハウジングに前記シール部材の後方に位置して装着され前記電線を貫通させる複数の電線挿通孔を有して前記各シール部材を抜け止めするシールリテーナとを備えるコネクタであって、前記シールリテーナには前記電線挿通孔を貫通する前記電線をそのシールリテーナに固定する電線固定部が設けられているところに特徴を有する。
このような構成のコネクタによると、電線がコネクタハウジングに装着されるシールリテーナの電線固定部に固定されるため、電線のガタつきによる端子金具の摺動を防止することができる。
【０００７】
本発明の実施の態様として、以下の構成が望ましい。  
前記電線固定部は、前記電線挿通孔の周縁から前記電線の導出方向に沿って延出して前記電線を締付可能な電線挿通筒と、この電線挿通筒を締め付ける締付部材とからなる構成としてもよい。このような構成によると、電線を筒状に覆うと共に電線挿通筒を締め上げることにより電線を確実に固定することができる。  
前記電線挿通筒の内周面部には、前記締付部材による締付時に前記電線の外周面に食い込む環状リブが突設されている構成としてもよい。このような構成によると、環状リブが電線の外周面に食い込むことにより電線挿通筒においてより確実に電線を固定することができる。
【０００８】
前記シールリテーナは前記電線を挟み付ける受け部材と押さえ部材とからなる二分割型に構成され、前記電線挿通筒は前記受け部材及び前記押さえ部材にそれぞれ形成した半割り筒体を合体させる構成としてもよい。  
このような構成によると、シールリテーナの電線挿通孔に電線を貫通させる際に、受け部材と押さえ部材とによって挟み付ける事で電線にシールリテーナを容易に取り付けることができる。
【０００９】
前記電線固定部は、前記シールリテーナの前記電線挿通孔に連なり前記電線を受ける電線受け溝を有する電線受け部と、前記シールリテーナの前記電線挿通孔に連なり前記電線を押さえる電線押さえ溝を有する電線押さえ部とを前記シールリテーナに一体成型してなると共に、前記コネクタハウジングには前記電線の導出方向に延びる固定片が突設され、電線受け部及び前記電線押さえ部は前記固定片に形成したボルト挿通孔を貫通する固定ボルトによって前記固定片に共締めされている構成としてもよい。  
このような構成によると、コネクタハウジングの固定片と共締めして、電線固定部を直接コネクタハウジングに固定することで、より確実に端子金具の摺動を防止することができる。
【００１０】
前記電線受け部には金属製のナットが装着されると共に、前記電線押さえ部及び前記固定片には前記固定ボルトが挿通する金属製のカラーが装着されている構成としてもよい。このような構成によると、固定ボルトの締付によるハウジングの変形を防止すると共に、経時後の樹脂のへたりによるボルト締めの緩みを防ぐことができる。
【発明の効果】
【００１１】
本発明によれば、電線のガタつきを防止することで端子金具の摺動を防止して、端子金具間の接続信頼性を向上させることができるコネクタを提供することができる。
【図面の簡単な説明】
【００１２】
【図１】実施形態１に係るシールリテーナをコネクタハウジングに装着する前の状態を示す後方斜視図
【図２】シールリテーナの後方斜視図
【図３】シールリテーナをコネクタハウジングに装着した後の状態を示す後方斜視図
【図４】シールリテーナをコネクタハウジングに装着した後の状態を示す平面図
【図５】図４のＶ−Ｖ線断面図
【図６】図４のＶＩ−ＶＩ線断面図
【図７】実施形態２に係るシールリテーナにタイラップバンドを取り付けた状態を示す後方斜視図
【図８】同背面図
【図９】同平面図
【図１０】同側面図
【図１１】同側断面図
【図１２】コネクタハウジングにシールリテーナを取り付けた状態を示す側断面図
【発明を実施するための形態】
【００１３】
＜実施形態１＞
本発明の実施形態１を図１乃至図６を参照して説明する。  
本実施形態１におけるコネクタは、図３及び図６に示すように、電線Ｙが接続された端子金具に相当する雌型端子金具Ｗと、端子収容室２１を有するコネクタハウジング２０と、コネクタハウジング２０を覆う金属製のシールドシェル２２と、電線Ｙと端子収容室２１との間をシールする弾性材料製のシール部材２９を抜け止めする合成樹脂製のシールリテーナ４０とを備えて構成されている。尚、以下の説明において図示しない相手方コネクタ側を前方、電線の導出側を後方とし、上下左右方向とは、本実施形態における図１の上下左右方向を基準とする。
【００１４】
コネクタハウジング２０は、図３乃至図６に示すように、略長円形状の断面を有する円筒部２３の前方端面から嵌合方向に向かって直線的に延びる三本の略円筒形状をなす端子収容部２４が横並びに並んだ形態をなし、その内部には雌型端子金具Ｗを収容して後方開口部が円形状をなす端子収容室２１が形成されている。
端子収容部２４には、その外側面に図示しない相手方コネクタと嵌合させる際に、挿入方向を位置決めする位置決めリブ２５が前方端面から端子収容部２４の略中央まで前後方向に直線的に延びるように設けられている。
【００１５】
シールドシェル２２は図３乃至図５に示すように、長円形の短めの筒状をなし、前方側の外側縁には機器のケース（図示せず）にボルト締結するための取付片２６が設けられている。  
取付片２６はシールドシェルの外側縁の右上と左下の二箇所から延設され、その先端にはボルト貫通孔２６Ａが形成されている。  
シールドシェル２２の長手方向の内面には係合爪２２Ａが上下合わせて四箇所に形成されており、コネクタハウジング２０を前方側から挿入してコネクタハウジング２０の円筒部２３の外面に設けられた係合部２３Ａに係合爪２２Ａを係止することによってコネクタハウジング２０にシールドシェル２２を装着している。
【００１６】
シールリテーナ４０は、図２及び図６に示すように、円筒状の三つの環状部４１を等間隔に配してそれらを板状の平板部４２にて連結した形態を成している。このシールリテーナ４０のうち左右方向の一端部にはヒンジ部４３が設けられて、このヒンジ部４３を中心として上下に開き回動可能であり、各環状部４１の内側にはシールリテーナ４０が閉じ回動したときに電線挿通孔２８が形成されて電線Ｙを挟み込むようになっている。環状部４１の前方には押圧部４４が形成されており、この押圧部４４は端子収容室２１の後方から挿入して電線Ｙと端子収容室２１との間から浸入する水を防ぐ弾性材料製の略円筒状のシール部材２９を後方向から押圧して抜け止めしている。環状部４１の外面はその中央からコネクタハウジング２０への取り付け方向に向かって一段拡幅した拡幅部４５が形成されており、この外面には係合突起４５Ａが形成されている。そして、この係合突起４５Ａはシールリテーナ４０を端子収容室２１の後方に挿入したときに端子収容室２１の後方部内面に設けられた係合凹部２１Ａに係合してシールリテーナ４０をコネクタハウジング２０に装着する構成になっている。
【００１７】
さて、シールリテーナ４０には図１及び図２に示すように、環状部４１の後方から電線Ｙの導出方向に向かって真っ直ぐ延びて左右方向に長い形態をなす略直方体状の電線固定部４６が設けられている。一方、コネクタハウジング２０には、図１及び図５に示すように、隣り合う端子収容室２１の開口部の中間に位置する箇所から後方に向かって真っ直ぐ延びる板状の固定片２７がコネクタハウジング２０の幅方向と並行するように設けられ、この固定片２７は先端がＲ状に面取りされた半円状をなし、シールリテーナ４０の平板部４２及び電線固定部４６の上面と重なり合うように配置される。
【００１８】
電線固定部４６はシールリテーナ４０と一体に形成される電線受け部４７と、電線受け部４７に上方から蓋をするように取り付けられる電線押え部４８とから構成され、電線受け部４７の両側面に設けられたロック爪４７Ａに電線押え部４８の両側面の設けられたロック片４８Ａがロックされることによって、電線押え部４８が電線受け部４７に組み付けられる。  
電線受け部４７には電線挿通孔２８から真っ直ぐ後方に延びて電線挿通孔２８より僅かに狭幅する略半円筒形状の電線受け溝４９が三本設けられ、電線押え部４８には電線受け溝４９に対応して電線挿通孔２８から真っ直ぐ後方に延びて電線挿通孔２８より僅かに狭幅する電線Ｙを押さえる略半円筒形状の電線押さえ溝５０が三本設けられている。また、電線押え部４８は、電線受け部４７に比べてやや肉薄に形成されているため、電線押え部４８の電線押さえ溝５０の外面は電線Ｙの形状に沿って盛り上がる略半円筒形状をなしている。そして、電線受け部４７に電線Ｙを配して電線押え部４８を組み付けたときにはこの電線受け溝４９と電線押さえ溝５０とが円筒状に一体となって電線Ｙを挟み込むようになっている。  
また、電線受け部４７にはそれぞれの電線受け溝４９との中間位置に電線受け部４７の厚さ方向に貫通するナット取付孔５２が設けられ、ナット取付孔５２には金属製のナット５３が圧入されている。
【００１９】
このナット５３には電線押え部４８とコネクタハウジング２０の固定片２７とに設けられたボルト挿通孔５４，５５を貫通する固定ボルトＺを螺合させ、固定片２７に電線受け部４７と電線押え部４８とを共締めして固定する。  
電線押え部４８に設けられたボルト挿通孔５４は固定片２７に設けられたボルト挿通孔５５に比べてやや大径に形成されており、ボルト挿通孔５４，５５にはそれぞれの大きさに対応してフランジ５６Ａ、５７Ａを有する円筒状をなす金属製のカラー５６，５７が圧入されている。  
電線押え部４８に装着されたカラー５６はフランジ５６Ａを除く円筒部の長さ寸法が電線押え部４８の厚みと同じ寸法に設定されており、電線押え部４８の下面から圧入されて電線受け部４７と電線押え部４８とに挟みつけられた状態になっている。そのため、電線押え部４８の下面より僅かに突出したフランジ５６Ａは電線受け部４７のナット５３の上方に設けられたフランジ収容溝４７Ｂに収容され、フランジ５６Ａが設けられた反対側の開口縁は電線押え部４８の上面と面一状態となっている。  
固定片２７に装着されたカラー５７はフランジ５７Ａを除く円筒部の長さ寸法が固定片２７の厚みと同じ寸法に設定されており、固定片２７に上面から圧入されている。そのため、フランジ５７Ａは固定片２７の上面よりフランジ５７Ａが僅かに突出し、フランジ５７Ａが設けられた反対側の開口縁は固定片２７の下面と面一状態となっている。
【００２０】
以上述べたように、電線Ｙに仮係止したシールリテーナ４０をコネクタハウジング２０に装着した時にはナット５３と電線押え部４８のカラー５６と固定片２７のカラー５７とが重なり合って一本の通路を形成すると共に、固定片２７のボルト挿通孔５５と電線押え部４８のボルト挿通孔５４と電線受け部４７のナット５３が一直線に連なる構成となっていることから、それぞれのボルト挿通孔５４，５５を貫通した固定ボルトＺは合成樹脂製のコネクタハウジング２０や合成樹脂製の電線固定部４６を変形させて破損させること無くナット５３に螺合して、電線固定部４６を固定片２７に共締めして固定することができる。
【００２１】
本実施形態のコネクタは上記のような構造であって、続いてコネクタハウジング２０へのシールリテーナ４０の組み付け作業とその作用効果を説明する。  
まず、コネクタハウジング２０から延びる三本の電線Ｙをシールリテーナ４０の環状部４１及び拡幅部４５によって挟み込む。続いて電線受け部４７の電線受け溝４９に全ての電線Ｙを配した後、電線Ｙと電線押え部４８の電線押さえ溝５０との位置が重なり合うように上方から電線押え部４８によって電線Ｙを挟み込み、電線受け部４７のロック爪４７Ａと電線押え部４８のロック片４８Ａとを係合させてロックする。このとき、電線Ｙに対して電線受け部４７と電線押え部４８とは仮係止状態となり、シールリテーナ４０は電線Ｙに沿ってスライド可能に取り付けられた状態となる。
【００２２】
続いて、端子収容室２１に取り付けられているシール部材２９を端子収容室２１から抜け止めするようにシールリテーナ４０をスライドさせてシールリテーナ４０の押圧部４４によってシール部材２９を前方に向かって押圧すると共に、係合突起４５Ａを端子収容室２１の係合凹部２１に係止してコネクタハウジング２０にシールリテーナ４０を装着する。シールリテーナ４０が装着されると固定片２７のボルト挿通孔５５と電線押え部４８のボルト挿通孔５４と電線受け部４７のナット５３とが一直線に連なると共に、ナット５３と電線押え部４８のカラー５６と固定片２７のカラー５７とが重なり合って一本の通路が形成される。そして、この通路に固定ボルトＺを挿入してナット５３に螺合させることにより電線固定部４６を固定片２７に共締めして固定する。これにより、従来から行っていた作業に加えてシールリテーナ４０に固定ボルトＺを締結させる作業を加えるだけで、電線固定部４６において電線Ｙを締付けて固定すると共に、シールリテーナ４０の電線固定部４６をガタつくこと無くコネクタハウジング２０に固定することができ、ひいてはキャビティ内における端子金具を固定して端子金具間の接続部分が磨耗することを防ぐことができる。
【００２３】
＜実施形態２＞
本発明の実施形態２を図７乃至図１２を参照して説明する。  
実施形態２のコネクタでは、前記実施形態１のコネクタハウジング２０から延びる固定片２７が設けられておらず、且つ、シールリテーナ４０が異なった構成となっている。
シールリテーナ４０の環状部４１の後方には、図７乃至図１１に示すように、電線挿通孔２８の開口縁から後方に向かって延設される略円筒状の電線挿通筒５８がシールリテーナ４０と一体に形成されている。
【００２４】
このシールリテーナ４０の電線挿通筒５８はヒンジ部４３を支点に上下二分割に開き回動可能な受け部材５９と押さえ部材６０とによって構成されており、電線挿通筒５８の断面が半円状をなす半割り筒体５９Ａ，６０Ａによって電線Ｙを挟み込む構成となっている。
また、この電線挿通筒５８は受け部材５９と押さえ部材６０とを閉じ回動させて合体させた際に、本来互いに接する部分が僅かに離れる二つのスリット６１が両側に形成される構成となっている。  
電線挿通筒５８の外面には締付部材に相当する合成樹脂製のタイラップバンド６２を取り付けるループ状の取付溝５８Ａが設けられており、受け部材５９と押さえ部材６０とによって電線Ｙを挟み込んだ後、取付溝５８Ａにおいてタイラップバンド６２によって電線挿通筒５８を締付けることで電線Ｙをシールリテーナ４０に固定することが可能となっている。
また、電線挿通筒５８の内面には、図１１及び図１２に示すように、僅かに突出する半円状の環状リブ６３が形成されており、この環状リブはほぼ等間隔に半割り筒体５９Ａ，６０Ａに交互に設けられている。そして、タイラップバンド６２で電線挿通筒５８を締付けたときには上下方向から電線Ｙの被覆部分に食い込み、より確実に電線Ｙを挟み込むようになっている。その他の構成は、前記実施形態１と同様であり、同様の作用効果を奏する。
【００２５】
次に実施形態２のコネクタハウジングへのシールリテーナの組み付け作業とその作用効果を説明する。  
まず、コネクタハウジング２０に装着された雌型端子金具Ｗから延びる三本の電線Ｙをシールリテーナ４０の受け部材５９に配し、押さえ部材６０によって電線Ｙを挟み込む。続いて予め電線Ｙに取り付けられた弾性材料製のシール部材２９を端子収容室２１から抜け止めするようにシールリテーナ４０をスライドさせて端子収容室２１の係合凹部２１Ａにシールリテーナ４０の係合突起４０Ａを係止してシールリテーナ４０を装着する。  
続いて、タイラップバンド６２で電線挿通筒５８を締付け、環状リブを電線の被覆部分に食い込ませてシールリテーナ４０に電線Ｙを固定する。これにより、従来の作業に加え、タイラップバンド６２による締付作業を行うことのみで、非常に容易、且つシンプルにシールリテーナ４０に電線Ｙを確実に固定して端子金具間の接続部分が磨耗することを防ぐことができる。
【００２６】
＜他の実施形態＞
本発明は上記記述及び図面によって説明した実施形態に限定されるものではなく、例えば次のような実施形態も本発明の技術的範囲に含まれる。  
（１）本実施形態では、コネクタハウジング２０に金属製のシールドシェル２２を装着した構成としたが、本発明はこのような態様に制限されるものではく、コネクタハウジング２０にシールドシェルを装着しないコネクタについても適用できる。  
（２）本実施形態では、コネクタハウジング２０に三つの端子収容室２１が設けられている構成としたが、本発明はこのような態様に制限されるものではく、例えば、二つや四つ以上の端子収容室２１が設けられている構成としてもよい。
【００２７】
（３）本実施形態１では、電線固定部４６はシールリテーナ４０と一体に形成された電線受け部４７と電線押え部４８との二部材による構成としたが、本発明はこのような態様に制限されるものではく、例えば、電線受け部４７と電線押え部４８とは一方の端部にヒンジを設けることで一体に形成される構成としてもよい。  
（４）本実施形態２では、電線挿通筒５８の締付に合成樹脂製のタイラップバンド６２を利用する構成としたが、本発明はこのような態様に制限されるものではく、例えば金属製のタイラップバンド等によって電線挿通筒５８を締付ける構成としてもよい。  
（５）本実施形態では、電線挿通筒５８の内面に環状リブ６３を設ける構成としたが、本発明はこのような態様に制限されるものではく、電線挿通筒５８の内面に環状リブを設けなくてもよい。
【符号の説明】
【００２８】
２０：コネクタハウジング
２１：端子収容室
２７：固定片
２８：電線挿通孔
２９：シール部材
４０：シールリテーナ
４６：電線固定部
４７：電線受け部
４８：電線押え部
４９：電線受け溝
５０：電線押さえ溝
５３：ナット
５４，５５：ボルト挿通孔
５６，５７：カラー
５８：電線挿通筒
５９：受け部材
５９Ａ，６０Ａ：半割り筒体
６０：押さえ部材
６２：タイラップバンド（締付部材）
６３：環状リブ
Ｗ：雌型端子金具（端子金具)
Ｙ：電線
Ｚ：固定ボルト
【図１】
2011175775.tif 000003
【図２】
2011175775.tif 000004
【図３】
2011175775.tif 000005
【図４】
2011175775.tif 000006
【図５】
2011175775.tif 000007
【図６】
2011175775.tif 000008
【図７】
2011175775.tif 000009
【図８】
2011175775.tif 000010
【図９】
2011175775.tif 000011
【図１０】
2011175775.tif 000012
【図１１】
2011175775.tif 000013
【図１２】
2011175775.tif 000014